(57)【要約】【課題】  デジタルカメラにおいて、露出、シャッター速度など撮影条件をすばやく、容易に設定する方法と共に、過去に撮影した成功例やプロの撮影技術を容易に活用する方法を提供する。【解決手段】  撮影した画像と共にその画像を撮影した撮影条件を記憶装置に記録し、記録した画像を表示装置で表示して選択することによって、その画像が撮影された時の撮影条件を設定し、その条件のもとに撮影できるようにしたデジタルカメラ。【選択図】  図１
2005348298.tif 000002
【特許請求の範囲】
【請求項１】
撮像素子を用いて写真を撮影し、撮影した画像を記憶装置に記録し、記録した画像を表示装置で表示するデジタルカメラにおいて、
画像と共に、その画像に関連付けて撮影条件を記憶しておくことを特徴とする請求項１のデジタルカメラ。
【請求項２】
請求項１のデジタルカメラにおいて、
記憶装置に記録された画像を表示装置に表示し、操作手段によって、画像を選択することにより、その画像と関連付けて記憶装置に記録された撮影条件をカメラの撮影条件として設定し、その撮影条件で撮影することを特徴とする、請求項1のデジタルカメラ。
【請求項３】
請求項１のデジタルカメラにおいて、
記憶装置に記録してある画像と共に、その画像に関連付けられた撮影条件を表示装置に表示することを特徴とする請求項１のデジタルカメラ。
【請求項４】
請求項１のデジタルカメラにおいて、
撮影時に、撮影した画像と共に、その画像を撮影時に使用した撮影条件を撮影した画像に関連付けて記憶装置に記録しておくことを特徴とする請求項１のデジタルカメラ。
【請求項５】
請求項４のデジタルカメラにおいて、
記憶装置に記録された画像を表示装置に表示し、操作手段によって、画像を選択することにより、その画像と関連付けて記憶装置に記録された撮影条件をカメラの撮影条件として設定し、その撮影条件で撮影することを特徴とする、請求項４のデジタルカメラ。
【請求項６】
請求項４のデジタルカメラにおいて、
記憶装置に記録してある画像と共に、その画像に関連付けられた撮影条件を表示装置に表示することを特徴とする請求項4のデジタルカメラ。
【発明の詳細な説明】
【技術分野】
【０００１】
本発明は、撮影条件を設定し、画像撮影用の撮像素子により電子的に画像を撮影し、記憶媒体に記憶するデジタルカメラに関するものである。
【背景技術】
【０００２】
近年、特開2002−199272に開示されているような撮像素子により電子的に画像を撮影し、記憶媒体に保存するデジタルカメラが急速に普及すると共に、その機能も格段に上がってきている。レンズの解像度、撮像素子の画素数も向上し、表現力を上げるため、露出やシャッター速度の設定など銀塩カメラ並みの表現力を持つ性能を有するデジタルカメラが出てきた。
【０００３】
従来のデジタルカメラでは、露出やシャッター速度など撮影条件を設定する方式として、デジタルカメラが被写体との距離や明るさを測定し、自動で設定するオートモード以外、表現力をあげるために手動で設定するモードがあった。マニュアルモードでは、液晶画面表示装置とボタンなどの操作手段を用いて露出やシャッター速度など撮影条件を設定する方法が取られていた。
【発明の開示】
【発明が解決しようとする課題】
【０００４】
しかしながら、たとえば、露出には、（1.0, 1.4, 2.0, 2.8, 4.0, 5.6, 8.0, 11, 16, 22）などの数値を設定し、また、シャッター速度には、（1/1000, 1/250, 1/60, 1/15, 1/4, 1, 4, 15, 30秒）などの数値を設定するなどの必要があり、また、これらは互いに相互作用をもつので、上記のような、撮影条件を液晶画面とボタンを用いた設定方法では、操作方法が複雑になり、また、設定に時間がかかるという問題があった。撮影1回ごとに変更をしようとすれば、シャッターチャンスを逃すという問題がある。また、仕上がりのイメージがわかりづらいという問題もあった。
【０００５】
撮影条件は、一度行った撮影と非常によく似た撮影条件と同じものを使うことが多いが、毎回、細かく設定を繰り返すのは非常に手間であった。容易に撮影者の意図にあった適切な撮影条件を設定する方法が求められていた。
【０００６】
ところで、写真の撮影には、撮影した露出やシャッター速度を控えておくこと撮影者は少なくない。写真雑誌などでは、投稿写真には露出とシャッター速度が添えられている。これは、次回、同じような写真撮影に際し、これらのデータを参考にするためである。
【０００７】
しかし、従来のデジタルカメラには、それらの撮影条件を記憶しておくことができず、撮影者はデジタルカメラとは別に、それらのデータを用紙などに控えておく必要があった。これは非常に手間であり、データを控えた用紙を紛失する恐れもあった。また、このデータを再び撮影に活用するためには、それらの用紙を見て、手動でデジタルカメラで再入力する必要があり、非常に手間であった。
【課題を解決するための手段】
【０００８】
本発明は、上述の課題を解決することを目的としてなされたもので、請求項１の発明は、撮像素子を用いて写真を撮影し、撮影した画像を記憶装置に記録し、記録した画像を表示装置で表示するデジタルカメラにおいて、画像と共に、その画像に関連付けて撮影条件を記憶しておくようにしたものである。
【０００９】
この構成によれば、撮影データを他に控えておく必要がなくなり、データ紛失の機会もなくなり、また、記憶された画像と記憶された撮影条件データの関係が明確になり、どの撮影条件のデータがどの画像に対応しているものか分からなくなる事故を防止でき、大変便利である。
【００１０】
請求項２の発明は、記憶装置に記憶された画像を表示装置に表示させ、撮影者がボタンなどの操作手段によって、記憶された複数の画像の中から画像を選び出し、選び出された画像に関連付けられて記憶装置に記録してある、露出やシャッター速度などの撮影条件をこれから撮影する撮影条件として設定し、撮影を行うようにしたものである。
【００１１】
この構成によれば、過去の撮影例の撮影画像とその画像を撮影した撮影条件をライブラリーとして提供しておけば、撮影者が撮影を行う場合、記録された画像の中から、今回の撮影に状況が似ているもの、たとえば、マクロの撮影や、コントラストが極端に差があるもの、背景をぼかしたもの、近距離から遠距離までピントが合っているものなど、撮影者は過去に撮影された画像を選択することによって、撮影者は、露出やシャッター速度など自動的にその画像が撮影された時に使用された撮影条件に設定され、その撮影条件で今回の撮影が行われる。これにより、撮影者は、撮影条件を画像を参照して選択できるので、撮影者の意図に適した撮影条件をすばやく、簡単に設定することができる。
【００１２】
ライブラリーを記憶する記憶装置は、デジタルカメラ本体に組み込んでおく以外に、デジタルカメラと着脱可能なメモリカードとしてもよい。
【００１３】
また、プロカメラマンが撮影した、撮影状況の撮影シーンの画像とともに、それらを撮影した時の撮影条件をデジタルカメラ本体に組み込まれた記憶装置または、デジタルカメラと着脱可能なメモリカードに入れて、撮影者に提供することにより、撮影者は容易にプロカメラマンの撮影技術を利用することが可能になる。
【００１４】
請求項３の発明は、記憶装置に記録してある画像と共に、その画像に関連付けられた撮影条件を表示装置に表示するようにしたものである。この構成によれば、撮影者は、記憶装置内の画像と撮影条件を共に見ることができ、撮影の参考にすることができる。
【００１５】
請求項４の発明は、撮影者が撮影時に、撮影した画像と共に、撮影に使用した撮影条件を撮影した画像と関連付けて記憶装置に記録するようにしたものである。
【００１６】
この構成によれば、撮影者は、撮影データを他に控えておく必要がなくなり、データ紛失の機会もなくなり、また、記憶された画像と記憶された撮影条件データの関係が明確になり、どの撮影条件のデータがどの画像に対応しているものか分からなくなる事故を防止でき、大変便利である。
【００１７】
請求項５の発明は、デジタルカメラによって撮影し、撮影済みの記憶装置に記憶された画像を表示装置に表示させ、撮影者がボタンなどの操作手段によって、記憶された複数の画像の中から画像を選び出し、選び出された画像に関連付けられて記憶装置に記録してある、露出やシャッター速度などの撮影条件をこれから撮影する撮影条件として設定し、撮影を行うようにしたものである。
【００１８】
この構成によれば、撮影者は過去の撮影の成功例を集めてライブラリー化することにより、過去の経験を活かした撮影が容易に可能となる。
【００１９】
請求項６の発明は、撮影者が撮影し、記憶装置に記録した画像と共にその画像が撮影された撮影条件をも同時に表示するようにしたものである。この構成により、撮影者は撮影した画像に使用された撮影条件を容易に知ることができる。
【発明の効果】
【００２０】
以上説明したように、余分なハードウエアを負荷する必要がないことから、ハードウェアの負荷を招くことなく、低コストで実現でき、また、可搬性を損なわず、撮影条件を操作が簡単で素早く設定することができ、シャッターチャンスを狙うことが非常に容易になる。また、自分の過去に撮影した成功例を記憶して残しておくことで、撮影者の過去の資産を活用することが容易に可能となる。また、プロの写真家の撮影例を、メモリカードなどカメラから取り外し／取り付け可能な記憶装置にいれて、販売、配布することにより、撮影者は容易にプロの技を活用することができる。
【発明を実施するための最良の形態】
【００２１】
実施例１の請求項２における発明のデジタルカメラの実施例１の構成を図面を参照して説明する。
【００２２】
図１は、実施例１の主な機能を説明するための構成図である。図１に示したように、実施例１のデジタルカメラは、レンズ101、レンズを通った被写体からの光を電気信号に変換するためのCCD 102、CCDからの電気信号を処理するアナログデータ処理部103、アナログ信号をデジタル信号に変換するためのA/D変換器104、画像の補正およびデータ圧縮を行うデジタル信号を画像処理部105、プログラムの保持と画像データおよび作業用データを保存するRAM/ROMメモリ106、処理を行うCPU 107、撮影者がボタンなどで操作を行う操作部108、画像やデータをカラー液晶画面で表示する表示部109を備えている。操作部には、図２の撮影するためのシャッターボタン203、撮影条件を設定するモードを切り替える設定モードスイッチ204、画像をセンタする選択ボタン205、画像を決定する設定ボタン206がある。本実施例では、本発明を実施するためのソフトウエアは、ROMに書き込まれているが、メモリカードなど、本デジタルカメラと着脱可能な記憶媒体によって提供されても良い。
【００２３】
通常の使用において、撮影者は、電源スイッチ210で電源を入れた後、操作部108におけるシャッターボタンを押すと、レンズ101を通過した被写体からの光が、CCD102にて電気信号に変換され、アナログデータ処理部103により信号強度および色信号の補正、ホワイトバランスなどの調整を行う。A/D変換器104にてアナログデータをデジタルデータに変換する。画像処理部105にて輪郭強調などの画像補正を行い、さらに、画像データサイズを小さくするの圧縮を行って、RAM/ROMメモリ106または、メモリカード111に格納する。電源を入れてすぐシャッターボタンを押した場合、撮影条件設定モードは、オートモードになっており、露出、シャッター速度は自動的に設定される。
【００２４】
次に、本発明の操作を説明する。撮影者は、図２に示すように、メモリカード209をデジタルカメラ202に装着する。メモリカードには画像およびそれに関連付けられた撮影条件データが保存されている。
【００２５】
電源210を入れた状態では、撮影条件設定モードは、露出、シャッター速度の設定は、オートモードの状態である。設定モードスイッチ204を押すと、撮影条件設定モードは、オートモードからマニュアルモードになる。さらにもう一度設定モードスイッチ204を押すと、ライブラリー選択モードになる。もう一度押すとオートモードに戻る。
【００２６】
ライブラリー選択モードにすると、液晶表示装置208は、図３に見られるように、メモリカード209に保存された画像が表示される。選択ボタン303を押すたびに、メモリカード209に記憶された画像が順に表示される。撮影者は、これらの中から撮影したい条件にあった画像を表示させて、設定ボタン304を押すと、その画像に関連付けてメモリカードに記録してある、撮影条件が撮影の条件として設定される。次に、撮影者はシャッターボタン203を押すと、その設定された撮影条件の露出、シャッター速度で撮影が行われる。
【００２７】
このメモリカードの画像およびデータは、デジタルカメラのメーカや他の者が提供できる。これらの画像およびデータをプロフェッショナルカメラマンが撮影した撮影例を用いることにより、本発明のデジタルカメラで撮影する撮影者は、画像を見ることにより視覚で容易にこれらの露出、シャッター速度などの撮影条件を選び出し、活用した写真を撮影することができる。
【００２８】
本実施例は、画像と画像に関連付けて記録は、メモリカードに行ったが、デジタルカメラ本体に内蔵のRAMやROM、また、その他の記憶装置でも良い。
【００２９】
本実施例では、撮影条件として、露出、シャッター速度などを示してあるが、フラッシュのON/OFF、連写のON/OFFなど撮影に関わるその他の設定を行っても良い。
【００３０】
次に、実施例１の動作を図4の本ソフトウエアのフローチャートを示して説明する。
【００３１】
ステップ401にて変数ｎを０に初期化する。これは、撮影モードスイッチ204を押すたびに撮影条件設定モードを切り替えるためである。
【００３２】
ステップ402および403で撮影モードスイッチ204およびシャッターボタン203を監視する。設定モードスイッチ204が押されると、押されるたびにｎは変わり、各モードを切り替える。
【００３３】
n=0では、ステップ412でオートモードに設定する。
【００３４】
n=1では、マニュアルモードに設定し、撮影条件を手動で設定行う。露出、シャッター速度などの設定画面を表示し、選択ボタン205と設定ボタン206を操作し、露出（1.0, 1.4, 2.0, 2.8, 4.0, 5.6, 8.0, 11, 16, 22）、シャッター速度（1/1000, 1/250, 1/60, 1/15, 1/4, 1, 4, 15, 30秒）、フラッシュのON/OFF、連写モードON/OFFなどを設定する。
【００３５】
n=2では、ステップ418でメモリから最初の画像を表示装置312に表示する。ステップ419にて設定ボタンが押されたこと検知し、ステップ420で選択ボタン205が押されたことを検知する。ステップ420で選択ボタン205が押されたことを検知すると、メモリから次の画像を表示して、ループに戻る。ステップ419にて設定ボタン206が押されたことを検知すると、ステップ421で表示してある画像に関連付けられた露出、シャッター速度などの撮影条件を設定し、ステップ422にてライブラリー選択モードも設定し、ステップ423でn=0に設定する。ｎは、次回設定モードスイッチが押された時にオートモードにするためにするためである。
【００３６】
ステップ403にて、シャッターボタン203が押されたことが検知されると、ステップ404にて距離、明るさを測定する。ステップ405にてオートモードであると、ステップ406にて撮影条件は自動で設定する。オートモードでない場合、既に設定されている撮影条件を使用する。
【００３７】
ステップ407で設定された撮影条件にしたがって撮影を行い、ステップ408で撮影された画像に画像処理を行い、圧縮などを行った後、ステップ409にて撮影された画像と撮影条件を関連付け、ステップ410にて撮影された画像を共にメモリに格納する。
【００３８】
（他の実施の形態）
実施例１は、デジタル静止画カメラについて説明を行ったが、動画を撮影するデジタルビデオカメラなど、電子式の画像撮影装置に適用できることは言うまでもない。
【００３９】
請求項３の発明による、実施例2について説明する。実施例２の構成は図１の実施例１の構成と同じである。また、通常の撮影の手順も実施例１と同じなので、省略する。
【００４０】
施例２では、ステップ419にて、メモリカードのライブラリーに保存されている画像を表示する際に、液晶表示装置502で図５見られるように、露出、シャッター速度を表示できるようにした点が、実施例１と異なる。これにより、メモリカードによって提供された撮影条件のデータを、撮影された画像で選択した後、目で見ることによって、撮影の参考にすることができ、プロフェッショナルカメラマンの知識により、より表現力豊かな画像の撮影が可能となる。
【００４１】
実施例２では、液晶表示装置502に選択した画像を表示し、設定ボタン304を押した状態で、設定モードスイッチ204を押すことにより、マニュアルモードに移行する。これにより、表示させた画像に関連付けられた撮影条件を元に撮影条件の変更が可能となる。プロフェッショナルカメラマンが設定した撮影条件を更に実際に適した撮影条件に変更することができる。
【００４２】
実施例２のフローチャートを図６に示す。実施例１のフローチャート図４と比較し、ライブラリー選択モードのサブルーチンにおいて、ステップ618の画像の画面表示に、加え、露出とシャッターの表示が付け加えられている。また、ライブラリー選択モード中においても、ステップ620にて設定モードスイッチを監視し、設定モードスイッチが押された場合は、ステップ622に置いて撮影条件を設定した後、マニュアルモードに移行する手順が加えられている。
【００４３】
請求項４、請求項５、請求項６の発明による、実施例３について説明する。実施例３の構成は図１の実施例１の構成と同じである。また、通常の撮影の手順も実施例１と同じなので、省略する。
【００４４】
実施例１では、画像とその画像と関連付けられた撮影条件とをメモリカードに保存して提供されていたのに加え、実施例３では、撮影者が撮影した画像および露出とシャッター速度といった撮影条件も、提供されているライブラリーと同様に、ライブラリーに追加される点が異なる。これにより、提供されたプロフェッショナルカメラマンの撮影例のライブラリーだけでなく、撮影者が過去に撮影した成功例を容易に活用することができるようになる。
【００４５】
実施例１とのフローチャート図４の相違点を図７に示す。撮影後に図４のステップ410でメモリに画像を書き込んでいたところを、画像と共に撮影条件として露出、シャッター速度も共にメモリに書き込むところが異なる。
【図面の簡単な説明】
【００４６】
【図１】本発明の実施例のブロック図である。
【図２】本発明の実施例１の使用例である。
【図３】本発明の実施例１の背面図である。
【図４】本発明の実施例１のフローチャートである。
【図５】本発明の実施例２の背面図である。
【図６】本発明の実施例２のフローチャートである。
【図７】本発明の実施例３の実施例１のフローチャートとの相違点である。
【符号の説明】
【００４７】
101  レンズ
102  CCD
103  アナログデータ処理部
104  A/D変換器
105  画像処理部
106  RAM/ROMメモリ
107  CPU
108  操作部
109  表示部
110  メモリカードアダプタ
111  メモリカード
112  プリンタインタフェース
201  被写体
202  本発明の実施例のデジタルカメラ
203  シャッターボタン
204  設定モードスイッチ
205  選択ボタン
206  設定ボタン
207  ファインダー
208  液晶表示部
209  メモリカード
210  電源スイッチ
301  ファインダー
302  液晶表示部
303  選択ボタン
304  設定ボタン
501  ファインダー
502  液晶表示部
503  選択ボタン
504  設定ボタン
【図１】
2005348298.tif 000003
【図２】
2005348298.tif 000004
【図３】
2005348298.tif 000005
【図４】
2005348298.tif 000006
【図５】
2005348298.tif 000007
【図６】
2005348298.tif 000008
【図７】
2005348298.tif 000009